(57)【要約】【課題】異なるフレームフォーマットに対応する端末がネットワーク内に存在する場合にも、端末相互間を接続し通信を行うことを可能にする。【解決手段】長短両方のフレームフォーマットに対応している端末STA1が親となって、長いフレームフォーマットのみに対応する端末STA2との間で相互に通信を行う場合、STA1は、２つのチャンネルの一方を使用して、短いフレームフォーマットのデータを送信して、STA2との通信を開始すべく応答を促す。STA2は、長いフレームフォーマットのみに対応する端末であるため、フレームを認識することができず応答しない（ａ）。その後、端末STA1は、他方のチャンネルを使用して、長いフレームフォーマットのデータを送信して、STA2との通信を開始すべく応答を促す。STA2は、この場合、フレームを認識することができ、STA1、STA2相互間の接続を確立することができる（ｂ）。【選択図】      図１
2005210199.tif 000002
【特許請求の範囲】
【請求項１】
長さの異なるフレームフォーマットを使用する無線ネットワークにおける端末相互間の接続方法において、長いフレームフォーマットに対応している端末と、長短両方のフレームフォーマットに対応している端末とを接続する際、前記長短両方のフレームフォーマットに対応している端末が、親端末となって、２つのチャンネルを使用し、一方のチャンネルを使用して短いフレームフォーマットのデータを送信し、他方のチャンネルを使用して長いフレームフォーマットのデータを送信することにより、長いフレームフォーマットに対応している端末との接続を行うことを特徴とする無線ネットワークにおける端末相互間の接続方法。
【請求項２】
長さの異なるフレームフォーマットを使用する無線ネットワークにおける端末相互間の接続方法において、長いフレームフォーマットに対応している端末と、長短両方のフレームフォーマットに対応している端末とを接続する際、前記長短両方のフレームフォーマットに対応している端末が、親端末となって、一定時間、短いフレームフォーマットのデータを送信し、その後、一定時間、長いフレームフォーマットのデータを送信することにより、長いフレームフォーマットに対応している端末との接続を行うことを特徴とする無線ネットワークにおける端末相互間の接続方法。
【請求項３】
長さの異なるフレームフォーマットを使用する無線ネットワークにおける端末相互間の接続方法において、長いフレームフォーマットに対応している端末と、長短両方のフレームフォーマットに対応している端末とを接続する際、前記長短両方のフレームフォーマットに対応している端末が、親端末となって、一定時間、短いフレームフォーマットのデータを送信し、接続を行うことができなかった場合、親であることを放棄して待ち受け受信の状態となり、長いフレームフォーマットに対応している端末が、自端末を親端末として、ロングプリアンブルを持つロング・フレームフォーマットのデータを送信することにより、長短両方のフレームフォーマットに対応している端末との接続を行うことを特徴とする無線ネットワークにおける端末相互間の接続方法。
【発明の詳細な説明】
【技術分野】
【０００１】
本発明は、無線ネットワークにおける端末相互間の接続方法係り、特に、無線ＬＡＮのネットワークを構成する端末が端末同士で通信を行うために使用して好適な無線ネットワークにおける端末相互間の接続方法に関する。
【背景技術】
【０００２】
近年、企業等においては、無線ＬＡＮが設置され、職員が持つＰＣ等の端末相互間を無線ＬＡＮで接続し、端末相互間でデータの授受を行うことが可能になっている。このような無線ＬＡＮでデータの授受に使用されるフレームフォーマットとしては、IEEE802.11b による規格で定められたフレームフォーマットが使用されるのが一般的である。
【０００３】
図４はIEEE802.11b により定められたフレームフォーマットの構成例を示す図であり、まず、これについて説明する。
【０００４】
無線ＬＡＮで使用するフレームフォーマットには、図４（ａ）に示すロング・フレームフォーマットと、図４（ｂ）に示すショート・フレームフォーマットとがあり、どちらも無線ＬＡＮで使用することが可能である。フレーム信号としてのＰＰＤＵ（PLCP Protcol Date Unit:PLCP が扱うプロトコルデータ単位）は、図４（ａ）、図４（ｂ）に示すように、どちらも、PLCPプリアンブル部、PLCPヘッダ部、PSDU部とにより構成される。そして、PLCPプリアンブル部は、到来するフレーム信号を検出し、同期をとるための信号を含んで構成され、PLCPヘッダ部は、信号速度やパケット長の情報を含んで構成されている。また、PSDU部は、PSCPサービスデータの単位であり、通信相手を指定するアドレスと、実際のデータ情報とを含んで構成されている。
【０００５】
前述において、ロング・フレームフォーマットは、PLCPプリアンブル部と、PLCPヘッダ部との長さが１９２μｓのロングプリアンブルを持って構成されているのに対して、ショート・フレームフォーマットは、PLCPプリアンブル部と、PLCPヘッダ部との長さが９６μｓのショートプリアンブルを持って構成されている。そして、ロング・フレームフォーマットは、古い形式のフォーマットであり、伝送速度の向上のために新しく規定されたのがショート・フレームフォーマットである。
【０００６】
前述したように、無線ＬＡＮで使用することができるフレームフォーマットには、ロング・フレームフォーマットと、ショート・フレームフォーマットとの２種があるが、無線ＬＡＮを使用する端末としては、ロング・フレームフォーマットのみに対応するものと、ロング・フレームフォーマットとショート・フレームフォーマットとの両方に対応するものとがある。そして、ロング・フレームフォーマットのみに対応する端末は、ショート・フレームフォーマットを認識することができない。
【０００７】
一方、複数台の端末が無線ＬＡＮのネットワークを形成して端末相互間での通信を行うアドホック通信を行う場合、通信を行う２つの端末は、ロングまたはショートのいずれか一方のフレームフォーマットを使用して通信を行うこととなるが、異なるフレームフォーマットに対応する端末がネットワーク内に存在する場合に、端末相互間での通信を行うことができない場合が生じる。
【０００８】
図５は異なるフレームフォーマットに対応する端末がネットワーク内に存在する場合の従来技術による端末相互間の接続方法について説明する図であり、次に、これについて説明する。なお、ここで説明する従来技術は、端末相互間での通信を行うことができない場合の例である。
【０００９】
一般に、無線ＬＡＮを使用して２つの端末同士がアドホック通信を行おうとする場合、一方の端末が親となって通信の開始を他方の端末に通知し、他方の端末がこれを認識して応答することにより通信路を確立し、その後、端末相互間で必要なデータの授受のための通信を行うという手順で行われる。
【００１０】
いま、図５に示すように、ロング・フレームフォーマットとショート・フレームフォーマットとの両方に対応する端末ＳＴＡ１が親となって、ロング・フレームフォーマットのみに対応する端末ＳＴＡ２との間で相互に通信を行おうとするものとする。この場合、親となった端末ＳＴＡ１は、ショートプリアンブルを持つショート・フレームフォーマットのデータを送信して、ＳＴ２との通信を開始すべく、ＳＴＡ２に応答を促す。しかし、ＳＴＡ２は、ロング・フレームフォーマットのみに対応する端末であるため、ＳＴＡ１からのショート・フレームフォーマットのデータを認識することができないため応答することはなく、従って、通信を開始することができない（図５（ａ））。
【００１１】
一方、ＳＴＡ２は、自端末に対するＳＴＡ１からの呼び掛けを認識することができないため、自端末が親となって、ロングプリアンブルを持つロング・フレームフォーマットのデータを送信して、ＳＴ１との通信を開始すべく、ＳＴＡ１に応答を促す。この場合、ＳＴＡ１は、ロング・フレームフォーマットにも対応しているので、このフレーム自体を認識することはできるが、自端末が親となって呼び掛けているいる状態なので、他のネットワークからのものであるとして応答することがなく、従って、通信を開始することはできない（図５（ｂ））。
【００１２】
そして、ＳＴＡ１は、親としての状態のまま、ショートプリアンブルを持つショート・フレームフォーマットのデータを送信して、ＳＴ２との通信を開始しようとするが、結局、通信を開始することができない（図５（ｃ））。
【００１３】
なお、ロング・フレームフォーマットと、ショート・フレームフォーマットとの２種フレームデータを使用する通信に関する従来技術として、例えば、特許文献１等に記載された技術が知られている。
【特許文献１】特開２００２−５４１７２５号公報
【発明の開示】
【発明が解決しようとする課題】
【００１４】
前述したように、従来技術による端末相互間の接続方法は、ロング及びショートの異なるフレームフォーマットに対応する端末がネットワーク内に存在する場合に、端末相互間での接続を行うことができず、通信を行うことができない場合が生じるという問題点を有している。
【００１５】
本発明の目的は、前述した従来技術の問題点を解決し、異なるフレームフォーマットに対応する端末がネットワーク内に存在する場合にも、端末相互間を接続し通信を行うことを可能にした無線ネットワークにおける端末相互間の接続方法を提供することにある。
【課題を解決するための手段】
【００１６】
本発明によれば前記目的は、長さの異なるフレームフォーマットを使用する無線ネットワークにおける端末相互間の接続方法において、長いフレームフォーマットに対応している端末と、長短両方のフレームフォーマットに対応している端末とを接続する際、前記長短両方のフレームフォーマットに対応している端末が、親端末となって、２つのチャンネルを使用し、一方のチャンネルを使用して短いフレームフォーマットのデータを送信し、他方のチャンネルを使用して長いフレームフォーマットのデータを送信することにより、長いフレームフォーマットに対応している端末との接続を行うことにより達成される。
【００１７】
また、前記目的は、長さの異なるフレームフォーマットを使用する無線ネットワークにおける端末相互間の接続方法において、長いフレームフォーマットに対応している端末と、長短両方のフレームフォーマットに対応している端末とを接続する際、前記長短両方のフレームフォーマットに対応している端末が、親端末となって、一定時間、短いフレームフォーマットのデータを送信し、その後、一定時間、長いフレームフォーマットのデータを送信することにより、長いフレームフォーマットに対応している端末との接続を行うことにより達成される。
【００１８】
さらに、前記目的は、長さの異なるフレームフォーマットを使用する無線ネットワークにおける端末相互間の接続方法において、長いフレームフォーマットに対応している端末と、長短両方のフレームフォーマットに対応している端末とを接続する際、前記長短両方のフレームフォーマットに対応している端末が、親端末となって、一定時間、短いフレームフォーマットのデータを送信し、接続を行うことができなかった場合、親であることを放棄して待ち受け受信の状態となり、長いフレームフォーマットに対応している端末が、自端末を親として、ロングプリアンブルを持つロング・フレームフォーマットのデータを送信することにより、長短両方のフレームフォーマットに対応している端末との接続を行うことにより達成される。
【発明の効果】
【００１９】
本発明によれば、ロング・フレームフォーマットのみに対応する端末と、ロング・フレームフォーマットとショート・フレームフォーマットとの両方に対応する端末とが無線ＬＡＮを構成する場合にも、これらの異なるフレームフォーマットに対応する端末相互間を接続して通信を行うことが可能となる。
【発明を実施するための最良の形態】
【００２０】
以下、本発明による無線ネットワークにおける端末相互間の接続方法の実施形態を図面により詳細に説明する。
【００２１】
図１は本発明の第１の実施形態による無線ネットワークにおける端末相互間の接続方法について説明する図である。ここで説明する本発明の第１の実施形態は、ロング・フレームフォーマットとショート・フレームフォーマットとの両方に対応する端末が親となって、２つのチャンネルを使用し、一方のチャンネルでショート・フレームフォーマットのデータを、他方チャンネルでロング・フレームフォーマットのデータを送信して、ロング・フレームフォーマットのみに対応する端末との接続を行う例である。
【００２２】
図１に示す例においても、図５により説明した従来技術の場合と同様に、ロング・フレームフォーマットとショート・フレームフォーマットとの両方に対応する端末ＳＴＡ１が親となって、ロング・フレームフォーマットのみに対応する端末ＳＴＡ２との間で相互に通信を行おうとするものとする。この場合、親となった端末ＳＴＡ１は、２つのチャンネルの一方を使用して、ショートプリアンブルを持つショート・フレームフォーマットのデータを送信して、ＳＴ２との通信を開始すべく、ＳＴＡ２に応答を促す。しかし、ＳＴＡ２は、ロング・フレームフォーマットのみに対応する端末であるため、ＳＴＡ１からのショート・フレームフォーマットのデータを認識することができないため応答することはなく、従って、通信を開始することができない（図１（ａ））。
【００２３】
その後、親となった端末ＳＴＡ１は、チャンネルを切り替え他方のチャンネルを使用して、ロングプリアンブルを持つロング・フレームフォーマットのデータを送信して、ＳＴ２との通信を開始すべく、ＳＴＡ２に応答を促す。ＳＴＡ２は、ロング・フレームフォーマットのみに対応する端末であるため、ＳＴＡ１からのロング・フレームフォーマットのデータを認識することができ、ＳＴＡ１に対して応答を行う。これにより、ＳＴＡ１、ＳＴＡ２相互間の接続を確立することができ、通信を開始することができる（図１（ｂ））。
【００２４】
前述した本発明の第１の実施形態によれば、ロング・フレームフォーマットとショート・フレームフォーマットとの両方に対応する端末が親となって、２つのチャンネルを使用し、ショート・フレームフォーマットのデータと、ロング・フレームフォーマットのデータとを送信することとしているので、異なるフレームフォーマット対応する端末相互間の接続を行うことができる。
【００２５】
図２は本発明の第２の実施形態による無線ネットワークにおける端末相互間の接続方法について説明する図である。ここで説明する本発明の第２の実施形態は、ロング・フレームフォーマットとショート・フレームフォーマットとの両方に対応する端末が親となって、まず、ショート・フレームフォーマットのデータを送信し、応答がない場合に、ロング・フレームフォーマットのデータを送信して、ロング・フレームフォーマットのみに対応する端末との接続を行う例である。
【００２６】
図２に示す例においても、図５により説明した従来技術の場合と同様に、ロング・フレームフォーマットとショート・フレームフォーマットとの両方に対応する端末ＳＴＡ１が親となって、ロング・フレームフォーマットのみに対応する端末ＳＴＡ２との間で相互に通信を行おうとするものとする。この場合、親となった端末ＳＴＡ１は、まず、ショートプリアンブルを持つショート・フレームフォーマットのデータを送信して、ＳＴ２との通信を開始すべく、ＳＴＡ２に応答を促す。しかし、ＳＴＡ２は、ロング・フレームフォーマットのみに対応する端末であるため、ＳＴＡ１からのショート・フレームフォーマットのデータを認識することができないため応答することはなく、従って、通信を開始することができない（図２（ａ））。
【００２７】
一定時間経過しても応答が得られなかった場合、親となった端末ＳＴＡ１は、次に、ロングプリアンブルを持つロング・フレームフォーマットのデータを送信して、ＳＴ２との通信を開始すべく、ＳＴＡ２に応答を促す。ＳＴＡ２は、ロング・フレームフォーマットのみに対応する端末であるため、ＳＴＡ１からのロング・フレームフォーマットのデータを認識することができ、ＳＴＡ１に対して応答を行う。これにより、ＳＴＡ１、ＳＴＡ２相互間の接続を確立することができ、通信を開始することができる（図２（ｂ））。
【００２８】
前述した本発明の第２の実施形態によれば、ロング・フレームフォーマットとショート・フレームフォーマットとの両方に対応する端末が親となって、時間を異ならせて、ショート・フレームフォーマットのデータと、ロング・フレームフォーマットのデータとを送信することとしているので、異なるフレームフォーマット対応する端末相互間の接続を行うことができる。
【００２９】
図３は本発明の第３の実施形態による無線ネットワークにおける端末相互間の接続方法について説明する図である。ここで説明する本発明の第３の実施形態は、ロング・フレームフォーマットとショート・フレームフォーマットとの両方に対応する端末が親となって、まず、ショート・フレームフォーマットのデータを送信し、応答がない場合に、ロング・フレームフォーマットのみに対応する端末が親となって接続を行う例である。
【００３０】
図３に示す例においても、図５により説明した従来技術の場合と同様に、ロング・フレームフォーマットとショート・フレームフォーマットとの両方に対応する端末ＳＴＡ１が親となって、ロング・フレームフォーマットのみに対応する端末ＳＴＡ２との間で相互に通信を行おうとするものとする。この場合、親となった端末ＳＴＡ１は、まず、ショートプリアンブルを持つショート・フレームフォーマットのデータを送信して、ＳＴ２との通信を開始すべく、ＳＴＡ２に応答を促す。しかし、ＳＴＡ２は、ロング・フレームフォーマットのみに対応する端末であるため、ＳＴＡ１からのショート・フレームフォーマットのデータを認識することができないため応答することはなく、従って、通信を開始することができない（図３（ａ））。
【００３１】
一方、ＳＴＡ２は、自端末に対するＳＴＡ１からの呼び掛けを認識することができないため、自端末が親となって、ロングプリアンブルを持つロング・フレームフォーマットのデータを送信して、ＳＴ１との通信を開始すべく、ＳＴＡ１に応答を促す。この場合、ＳＴＡ１は、ロング・フレームフォーマットにも対応しているので、このフレーム自体を認識することはできるが、自端末が親となって呼び掛けているいる状態なので、他のネットワークからのものであるとして応答することがなく、従って、通信を開始することはできない（図３（ｂ））。
【００３２】
そして、ＳＴＡ１は、親としての状態のまま、ショートプリアンブルを持つショート・フレームフォーマットのデータを送信して、ＳＴ２との通信を開始しようとするが、結局、通信を開始することができない（図３（ｃ））。
【００３３】
ＳＴＡ１は、親としてネットワークを構成することができないことにより、親であることを放棄して待ち受け受信の状態となる。一方、ＳＴＡ２は、再度、自端末が親となって、ロングプリアンブルを持つロング・フレームフォーマットのデータを送信して、ＳＴ１との通信を開始すべく、ＳＴＡ１に応答を促す。この場合、ＳＴＡ１は、ロング・フレームフォーマットにも対応しているので、ＳＴＡ２からのロング・フレームフォーマットのデータを認識することができ、ＳＴＡ２に対して応答を行う。これにより、ＳＴＡ１、ＳＴＡ２相互間の接続を確立することができ、通信を開始することができる（図３（ｄ））。
【００３４】
前述した本発明の第３の実施形態によれば、ロング・フレームフォーマットとショート・フレームフォーマットとの両方に対応する端末が親となって接続を試みて接続ができなかった場合、この端末が親であることを放棄し、一方、ロング・フレームフォーマットのみに対応する端末が接続を試みることとしているので、異なるフレームフォーマット対応する端末相互間の接続を行うことができる。
【図面の簡単な説明】
【００３５】
【図１】本発明の第１の実施形態による無線ネットワークにおける端末相互間の接続方法について説明する図である。
【図２】本発明の第２の実施形態による無線ネットワークにおける端末相互間の接続方法について説明する図である。
【図３】本発明の第３の実施形態による無線ネットワークにおける端末相互間の接続方法について説明する図である。
【図４】IEEE802.11b により定められたフレームフォーマットの構成例を示す図である。
【図５】異なるフレームフォーマットに対応する端末がネットワーク内に存在する場合の従来技術による端末相互間の接続方法について説明する図である。
【符号の説明】
【００３６】
ＳＴＡ１  長短両方のフレームフォーマットに対応している端末
ＳＴＡ２  長いフレームフォーマットに対応している端末
【図１】
2005210199.tif 000003
【図２】
2005210199.tif 000004
【図３】
2005210199.tif 000005
【図４】
2005210199.tif 000006
【図５】
2005210199.tif 000007